(57)【要約】      （修正有）【課題】貴金属や高級ブローチ及びネックレス等の高級品を展示する場合、直接顧客に手に取って視認してもらうことが商品価値を理解してもらうことができ、一方で高級品故の盗難事故を防止することができる貴金属用の商品陳列台を提供する。【解決手段】狭い展示スペースでも顧客に対してイヤリング等の商品を視認性良く展示できると共に、盗難防止ガード材６の働きによりイヤリング１０の取付け用紙９を上方から押えることにより、取付け用紙自体を外部から剥がれ難くする。【選択図】図３
2006181013.tif 000002
【特許請求の範囲】
【請求項１】
Ｔ字状基台と、該Ｔ字状基台の上板の表面に取付けられる複数の商品受け棒を設置した支持材とから構成され、前記商品受け棒にはイヤリング等の商品を取付けてなる取付け用紙の上端部が係止され、さらにこの係止された取付け用紙の上から盗難防止ガード材で押えて取付け用紙の係止を防止することを特徴とする商品陳列台。
【請求項２】
前記商品受け棒を設置した支持材は、左右２枚の長方形状の金属板上に少なくとも１本以上の商品受け棒の両端部を折り曲ることにより前記金属板との平行面に隙間を設けてあることを特徴とする請求項１記載の商品陳列台。
【請求項３】
前記取付け用紙は、用紙の表面に商品を止めると共に、用紙の先端部が逆Ｕ字状となっていることによって前記商品受け棒の上から係止できることを特徴とする請求項１及び２記載の商品陳列台。
【請求項４】
前記盗難防止ガード材は、長手形状の上板部と上記上板より短い下板とが一体成形され、前記商品受け棒の上に係止された取付け用紙を上方から商品受け棒に押えることを特徴とする請求項１及び３記載の商品陳列台。
【請求項５】
前記盗難防止ガード材は、長手形状の角状体であって端部に円柱或いは角柱のロッド部を取付けた構造であって、前記商品受け棒の上に係止された取付け用紙を上方から商品受け棒に押えることを特徴とする請求項１及び３記載の商品陳列台。
【発明の詳細な説明】
【技術分野】
【０００１】
本発明は、イヤリング等の高級品を展示する陳列ケースに関し、さらに詳しくは、商品自体の視認性を良くする一方で、商品を取付けている用紙が盗難防止ガード材で押えられることによって盗難に遭うことを防止できる新規な商品陳列台を提供するものである。
【背景技術】
【０００２】
従来の陳列ケース等は、基本的に商品を陳列することを主体にするために、商品をしまう引き出しを最下段に設けたりして展示棚をできるだけ多く設置し、一方で商品をしまっておく引き出しを単独で配置していたために、狭い陳列室の中では顧客に対してに商品を充分に展示することができなかった。
【０００３】
また貴金属や高級ブローチ及びネックレス等の高級品を展示する場合、直接顧客に手に取って視認してもらうことが商品価値を理解してもらうことが販売上望まれるが、一方で高級品故の盗難事故が多発するのを防止するための工夫をしなければならないという問題もあった。
【０００４】
実開平５−５７２５６号「制御錠付き陳列ケース」には、宝石店などの陳列ケースの収容部の施錠及び開錠を販売店の手元で容易に操作出来るようにし、顧客との商談の際に、会話を中断することなく商品が取り出させることが出来る陳列ケースが開示されている。
【特許文献１】実開平５−５７２５６号
【発明の開示】
【発明が解決しようとする課題】
【０００５】
しかしながら上述の「制御錠付き陳列ケース」は、所要数の収容部の開閉部に電気錠を備えているものであり、そしてこの電気錠の施錠や開錠を無線等の発進装置からの指示を受けて受信制御装置が行なうというケースであり、ケース自体の単価が高くならざるを得なかった。
【０００６】
近年の貴金属の展示等においては、固定店での販売もさることながら著名なデパートや専門店における移動販売も行なわれるように成り、そのために専門の什器を用いて販売することが多くなって、少ない販売面積であっても顧客に対して商品のＰＲが十分に出来る工夫が求められていた。
【課題を解決するための手段】
【０００７】
本発明者は係る課題を皆生するために鋭意研究したところ、１台の陳列台を用いることによって、狭い展示スペースでも顧客に対してイヤリング等の商品を視認性よく展示できると共に、一方で盗難防止ガード材の働きによりイヤリングの取付け用紙を外部から剥がれ難くして盗難防止が容易にできる新規な商品陳列台を提供することが可能となった。
【０００８】
即ち本発明の第一は、Ｔ字状基台と、該Ｔ字状基台の上板の表面に取付けられる複数の商品受け棒を設置した支持材とから構成され、前記商品受け棒にはイヤリング等の商品を取付けてなる取付け用紙の上端部が係止され、さらにこの係止された取付け用紙の上から盗難防止ガード材で押えて取付け用紙の係止を防止することを特徴とする商品陳列台である。
【０００９】
本発明の第二は、前記商品受け棒を設置した支持材は、左右２枚の長方形状の金属板上に少なくとも１本以上の商品受け棒の両端部を折り曲ることにより前記金属板との平行面に隙間を設けてあることを特徴とする請求項１記載の商品陳列台である。
【００１０】
本発明の第三は、前記取付け用紙は、用紙の表面に商品を止めると共に、用紙の先端部が逆Ｕ字状となっていることによって前記商品受け棒の上から係止できることを特徴とする請求項１及び２記載の商品陳列台である。
【００１１】
本発明の第四は、前記盗難防止ガード材は、長手形状の上板部と上記上板より短い下板とが一体成形され、前記商品受け棒の上に係止された取付け用紙を上方から商品受け棒に押えることを特徴とする請求項１及び３記載の商品陳列台である。
【００１２】
本発明の第五は、  前記盗難防止ガード材は、長手形状の角状体であって端部に円柱或いは角柱のロッド部を取付けた構造であって、前記商品受け棒の上に係止された取付け用紙を上方から商品受け棒に押えることを特徴とする請求項１及び３記載の商品陳列台である。
【発明の効果】
【００１３】
本発明の商品陳列台は、Ｔ字状の外観を有する陳列台であるため任意な箇所に移動が容易であり、特にキャンペーン販売等には役立つ陳列台である。
【００１４】
また本発明の商品陳列台を用いてイヤリング等の商品を商品受け棒に取付けて展示すると視認性が良いために顧客に容易に選択性を与えると共に、一方で取付け用紙の上から盗難防止ガード材で押えているために上記の取付け用紙を剥がそうと思っても剥がされ難いという効果を有するものである。
【発明を実施するための最良の形態】
【００１５】
以下、図面を参照に本発明を詳細に説明するが、本発明はこれらに限定されるものではない。
【実施例１】
【００１６】
図１は、本発明に基づく陳列台を示す斜視図である。陳列台は、長手形状の木材素材からなる横幅５４０ｍｍ、縦幅１００ｍｍ、高さ２０ｍｍの基台１の略真ん中に横幅５４０ｍｍ、縦幅２８３ｍｍ、厚さ２５ｍｍの上板２がＴ字状になるようにネジ固定で取付けられている。
【００１７】
この上板２の表面側には、端部がＬ字状に折り曲げられた３本のステンレススチール製の商品受け棒４を溶接固定した左右２枚のステンレススチール製の支持板をビス固定している。
【００１８】
この場合、商品受け棒４は先端部が折り曲げられていることによって、図２に示すように上板２表面と商品受け棒４との平行面との間に盗難防止ガード材６を挿入固定できる約３０ｍｍ程の隙間が設けられている。
【００１９】
図３は、図１の陳列台の正面図であるが、商品受け棒４には図６に示すイヤリング１０を取付けた取付け用紙９が上方から任意の幅に係止され、更にこの取付け用紙６の上から図４に示す盗難防止ガード材６の下板８が上記隙間に挿入され、次いで、盗難防止ガード材の上板７が商品受け棒４の上部を押えるために、取付け用紙６自体を引き抜いて剥がそうとしても剥がれない様になっている。
【００２０】
図６のイヤリング１０は、取付け用紙９に１個、或いは２個のイヤリングを表裏面でネジ止めして表側にイヤリング本体が表れるように展示するが、この取付け用紙の素材として表面をコーティングした紙素材を用いているために脇から裂くことができない様になっている。
【実施例２】
【００２１】
実施例１で示す陳列台を同様に用い、この陳列台の上板２の表面側には、端部がＬ字状に折り曲げられた３本のステンレススチール製の商品受け棒４を溶接固定した左右２枚のステンレススチール製の支持板をビス固定している。
【００２２】
この場合、上記左右の支持板に溶接固定した商品受け棒４の約７ｍｍ上に差込み用の径３．５ｍｍの小孔部１３を設け、盗難防止ガード材１１の端部に設けた径３ｍｍ、長さ１４ｍｍのロッド部１２を差込みできるようにしている。
【００２３】
本実施例では、前記商品受け棒４上に図６に示すイヤリングの取付け用紙９を係止した後に、図７に示す盗難防止ガード材１１の左右のロッド材をそれぞれ対応する小孔部１３に合わせて差込むようにすると盗難防止ガード材１１本体が丁度前記商品受け棒４上に位置してイヤリングの取付け用紙９を上から押える構造となるので、実施例１と同様に取付け用紙６自体を引き抜いて剥がそうとしても剥がれない様になっている。
【図面の簡単な説明】
【００２４】
【図１】本発明の全体を示す斜視図である。
【図２】図１における断面図である。
【図３】図１における正面図である。
【図４】本発明にかかる盗難防止ガード材の斜視図である。
【図５】図４における盗難防止ガード材の正面図である。
【図６】本発明にかかる取付け用紙の斜視図である。
【図７】実施例２において使用する盗難防止ガード材の斜視図である。
【図８】上記盗難防止ガード材を挿通する状態を示す斜視図である。
【符号の説明】
【００２５】
１・・・基台
２・・・上板
３・・・支持板
４・・・商品受け棒
５・・・ネジ
６・・・盗難防止ガード材
７・・・盗難防止ガード材上板
８・・・盗難防止ガード材下板
９・・・取付け用紙
１０・・イヤリング
１１・・盗難防止ガード材
１２・・ロッド材
１３・・小孔部
【図１】
2006181013.tif 000003
【図２】
2006181013.tif 000004
【図３】
2006181013.tif 000005
【図４】
2006181013.tif 000006
【図５】
2006181013.tif 000007
【図６】
2006181013.tif 000008
【図７】
2006181013.tif 000009
【図８】
2006181013.tif 000010